(57)【要約】【課題】  マネージドコピーについては、コピー元のディスクの１枚１枚が個別に識別できれば、当該ディスクから何回コピーが実行されたかの情報などを得ることが可能であり、さまざまなサービスを可能にすると考えられが、個別の識別に有効なＢＣＡは、１枚ごとにレーザーで記録するため製造コストが高くなるという問題点があった。【解決手段】  該光ディスクの識別情報が固体識別情報を含む識別情報であるか、固体識別情報を含まない識別情報であるかによって、コピー処理を切り替えることによって上記課題は解決される。【選択図】  図１
2012069210.tif 000002
【特許請求の範囲】
【請求項１】
再生専用の光ディスクであって、
ディスクに関する情報が記録されているＢＣＡは、
ＢＣＡコードの種別を識別するＢＣＡ識別子と、
複数ブロックのＢＣＡが有る場合、ブロック同士の識別を行うシーケンス番号と、
製造者識別情報と、
ディスク識別情報を有するＢＣＡを具備しており、
ディスク識別情報が固体識別情報を含む識別情報であるか、固体識別情報を含まない識別情報であるかによって、前記ＢＣＡ識別子を互いに異ならせることを特徴とする、再生専用の光ディスク。
【請求項２】
再生専用の光ディスクであって、
ディスクに関する情報が記録されているＢＣＡは、
ＢＣＡコードの種別を識別するＢＣＡ識別子と、
複数ブロックのＢＣＡが有る場合、ブロック同士の識別を行うシーケンス番号と、
製造者識別情報と、
ディスク識別情報を有するＢＣＡを具備しており、
ディスク識別情報が固体識別情報を含む識別情報であるか、固体識別情報を含まない識別情報であるかによって、前記シーケンス番号を互いに異ならせることを特徴とする、再生専用の光ディスク。
【請求項３】
光ディスク記録再生装置であって、
ＢＣＡコードの種別を識別するＢＣＡ識別子と、複数ブロックのＢＣＡが有る場合、ブロック同士の識別を行うシーケンス番号と、製造者識別情報と、
ディスク識別情報を有し、ディスク識別情報が固体識別情報を含む識別情報であるか、固体識別情報を含まない識別情報であるかによって、前記ＢＣＡ識別子を互いに異ならせた再生専用の光ディスクが装着された時、
該光ディスクの識別情報が固体識別情報を含む識別情報であるか、固体識別情報を含まない識別情報であるかを示す、前記ＢＣＡ識別子を送信する手段を具備することを特徴とする映像信号及び音声信号のレコーダー装置。
【請求項４】
光ディスク記録再生装置であって、
ＢＣＡコードの種別を識別するＢＣＡ識別子と、複数ブロックのＢＣＡが有る場合、ブロック同士の識別を行うシーケンス番号と、製造者識別情報と、
ディスク識別情報を有し、ディスク識別情報が固体識別情報を含む識別情報であるか、固体識別情報を含まない識別情報であるかによって、前記シーケンス番号を互いに異ならせた再生専用の光ディスクが装着された時、
該光ディスクの識別情報が固体識別情報を含む識別情報であるか、固体識別情報を含まない識別情報であるかを示す、前記シーケンス番号を送信する手段を具備することを特徴とする映像信号及び音声信号のレコーダー装置。
【請求項５】
ＢＣＡコードの種別を識別するＢＣＡ識別子と、複数ブロックのＢＣＡが有る場合、ブロック同士の識別を行うシーケンス番号と、製造者識別情報と、
ディスク識別情報を有し、ディスク識別情報が固体識別情報を含む識別情報であるか、固体識別情報を含まない識別情報であるかによって、前記ＢＣＡ識別子を互いに異ならせた再生専用の光ディスクから、映像信号および音声信号のコピーを行う方法であって、
該光ディスクの識別情報が固体識別情報を含む識別情報であるか、固体識別情報を含まない識別情報であるかを示す、前記ＢＣＡ識別子によって、コピー処理内容を切り替えることを特徴とするディスクのコピー方法。
【請求項６】
ＢＣＡコードの種別を識別するＢＣＡ識別子と、複数ブロックのＢＣＡが有る場合、ブロック同士の識別を行うシーケンス番号と、製造者識別情報と、
ディスク識別情報を有し、ディスク識別情報が固体識別情報を含む識別情報であるか、固体識別情報を含まない識別情報であるかによって、前記シーケンス番号を互いに異ならせた再生専用の光ディスクから、映像信号および音声信号のコピーを行う方法であって、
該光ディスクの識別情報が固体識別情報を含む識別情報であるか、固体識別情報を含まない識別情報であるかを示す、前記シーケンス番号によって、コピー処理内容を切り替えることを特徴とするディスクのコピー方法。
【発明の詳細な説明】
【技術分野】
【０００１】
本発明は、光情報記録方法および記録装置に関する。
【背景技術】
【０００２】
非特許文献１に記載のとおり、現在、青紫色半導体レーザを用いた、Ｂｌｕ−ｒａｙ  Ｄｉｓｃ（商標）規格などにより、民生用においても５０ＧＢ程度の記録密度を持つ光ディスクが商品化されている。非特許文献１では、Ｂｌｕ−ｒａｙ  Ｄｉｓｃ（商標）では、コピープロテクション技術としてＡＡＣＳ（Ａｄｖａｎｃｅ  Ａｃｃｅｓｓ  Ｃｏｎｔｅｎｔ  Ｓｙｓｔｅｍ）が採用されていることも記載されている。また、非特許文献１では、ＡＡＣＳの管理下でコンテンツをどのデバイスにコピーしたかを管理してコピーを許諾するマネージドコピーについても記載されている。
【先行技術文献】
【非特許文献】
【０００３】
【非特許文献１】「Ｂｌｕ−ｒａｙ  ＨＤ  ＤＶＤがわかる」（122-127頁）技術評論社
【発明の概要】
【発明が解決しようとする課題】
【０００４】
マネージドコピーについては、コピー元のディスクの１枚１枚が個別に識別できれば、当該ディスクから何回コピーが実行されたかの情報などを得ることが可能であり、さまざまなサービスを可能にすると考えられる。個別の識別にはＢＣＡが有効であるが、１枚ごとにレーザーで記録するため製造コストが高くなるという問題点があった。
【課題を解決するための手段】
【０００５】
上記課題は特許請求の範囲に記載の発明により解決される。
【発明の効果】
【０００６】
本発明によれば、個別の識別コードの有無によってコピー管理装置は処理を切り替えるため、個別識別がある場合、ない場合のそれぞれで最適な処理が可能である。また、コピー装置は、固体の識別コードの有無に関する情報をコピー制御装置に送るので、コピー管理装置の最適制御を可能とする。
【図面の簡単な説明】
【０００７】
【図１】本発明によるレコーダーで扱うＢＣＡフォーマット図
【図２】本発明によるレコーダーで扱うＢＣＡフォーマット図
【図３】本発明によるレコーダー及びコピー管理装置のブロック図
【図４】本発明によるディスクコピー管理装置の動作フローチャート
【図５】本発明によるディスクコピー管理装置の動作フローチャート
【図６】本発明によるレコーダーの動作フローチャート
【図７】本発明によるレコーダーで扱うＢＣＡフォーマット図
【図８】本発明に用いる１層ＲＯＭディスクの構造図
【図９】本発明に用いる２層ＲＯＭディスクの構造図
【図１０】本発明に用いるＲＯＭディスクの記録層の構造図
【図１１】本発明に用いるディスクのデータフレーム構造図
【図１２】本発明に用いるディスクのスクランブルドデータフレーム構造図
【図１３】本発明に用いるディスクの２１６行３０４列のデータブロック構成図
【図１４】本発明に用いるディスクのＬＤＣブロック構造図
【図１５ａ】ＬＤＣブロックに対する第１のインターリーブを示す構成図
【図１５ｂ】ＬＤＣブロックに対する第２のインターリーブを示す構成図
【図１６】本発明に用いるディスクのアドレス情報の構造図
【図１７】本発明に用いるディスクのアクセスブロックの構造図
【図１８】本発明に用いるディスクのＢＩＳブロックの構造図
【図１９】本発明に用いるディスクのＢＩＳクラスタの構造図
【図２０】本発明に用いるディスクのＥＣＣクラスタの構造図
【図２１】本発明に用いるディスクの記録フレームの構造図
【図２２】本発明に用いるディスクで用いられる１−７変調の変換図
【図２３】同期フレームの同期信号パターン表
【図２４】本発明に用いるディスクのＢＣＡの位置を示す構造図
【図２５】本発明に用いるディスクのＢＣＡの変調速を示す変換表
【図２６】本発明に用いるディスクのＢＣＡの記録形状を示す図
【図２７】本発明に用いるディスクのＢＣＡのデータ構造図
【図２８】ＢＣＡの同期信号のパターン表
【図２９】ＢＣＡコードのＥＣＣブロックの構成図
【図３０】ＢＣＡのデータブロックの構成図
【図３１】本発明に用いる光ディスク記録再生装置のブロック図
【図３２】本発明に用いるバックエンド処理部のブロック図
【図３３】本発明によるレコーダーで扱うＢＣＡフォーマット図
【発明を実施するための形態】
【０００８】
[ディスク]
本発明の再生専用ディスクのＢＣＡのデータフォーマットについて説明する。
【０００９】
図１と図２は固体識別が不能なＢＣＡに用いられるデータブロックのフォーマットを示したものである。図７は固体識別が可能なＢＣＡに用いられるデータブロックのフォーマットを示したものである。また、図３３は固体識別が可能なものと固体識別の不能なものとの両方に用いられるデータブロックのフォーマットを示したものである。
【００１０】
図７のフォーマットに従ったディスクは既に市場に存在し、図１もしくは図２もしくは図３３のフォーマットに従った再生専用ディスクを新たに製造することを想定する。図７において縦方向のＢｙｔｅは何Ｂｙｔｅ目のデータであるかを示し、横方向のＢｉｔは何Ｂｉｔ目のデータであるかを示す。図７においてＢＣＡのＢｙｔｅ０は、コンテンツコードでありそのうちのＢｉｔ７からＢｉｔ２は識別子（アプリケーションＩＤ）であり、この場合は０００００１がセットされるとする。Ｂｙｔｅ０のＢｉｔ１，０はシーケンス番号であり、ＢＣＡが複数のデータブロックからなる場合は何個目のシーケンスであるかを示す。シーケンス番号については後述するＢＣＡの説明においても示す。Ｂｙｔｅ１，Ｂｙｔｅ２は、製造者の識別コードである。Ｂｙｔｅ３からＢｙｔｅ１５はディスク１枚ごとに付加されるユニークな番号である。つまり固体識別が可能な番号である。図７のフォーマットではきめ細かくコピーの管理を行うのに十分な固体情報が得られる。但し、１枚ごとに異なる番号を割り当てて記録が必要であり、製造コストは高くなる。
【００１１】
図１において縦方向のＢｙｔｅは何Ｂｙｔｅ目のデータであるかを示し、横方向のＢｉｔは何Ｂｉｔ目のデータであるかを示す。図１においてＢＣＡのＢｙｔｅ０は、コンテンツコードでありそのうちのＢｉｔ７からＢｉｔ２は識別子（アプリケーションＩＤ）であり、この場合は００００１０がセットされるとする。Ｂｙｔｅ０のＢｉｔ１，０はシーケンス番号であり、ＢＣＡが複数のデータブロックからなる場合は何個目のシーケンスであるかを示す。シーケンス番号については後述するＢＣＡの説明においても示す。Ｂｙｔｅ１，Ｂｙｔｅ２は、製造者の識別コードである。Ｂｙｔｅ３からＢｙｔｅ１５は、ディスクのグループごと（例えば一般消費者用のディスク、営業用のディスク）に付加される番号（つまり固体識別不能な番号）である。図７のフォーマットに対し図1のフォーマットは、コピー管理のきめの細かさは若干おちるが製造コストを低くできる。また、識別子によって図1のフォーマットと図７のフォーマットは判別可能なので、固体識別が可能なディスクと固体識別が不能なディスクが共存することが可能である。即ち、固体識別が可能なディスクと固体識別が不能なディスクの双方に適したマネージドコピー処理を行う装置を構成することが可能となる。図1の例では識別子を００００１０としたが、０００００１と異なれば他のコードを識別子とすることも可能である。
【００１２】
図２において縦方向のＢｙｔｅは何Ｂｙｔｅ目のデータであるかを示し、横方向のＢｉｔは何Ｂｉｔ目のデータであるかを示す。図２においてＢＣＡのＢｙｔｅ０は、コンテンツコードでありそのうちのＢｉｔ７からＢｉｔ２は識別子（アプリケーションＩＤ）であり、この場合は０００００１がセットされるとする。Ｂｙｔｅ０のＢｉｔ１，０はシーケンス番号であり、ＢＣＡが複数のデータブロックからなる場合は何個目のシーケンスであるかを示す。シーケンス番号については後述するＢＣＡの説明においても示す。このシーケンス番号を異なるものを与えることで図7のフォーマットと判別することが可能である。（例えば図7のファーマットでは００、図２のフォーマットでは０１）Ｂｙｔｅ１，Ｂｙｔｅ２は、製造者の識別コードである。Ｂｙｔｅ３からＢｙｔｅ１５は、ディスクのグループごと（例えば一般消費者用のディスク、営業用のディスク）に付加される番号（つまり固体識別不能な番号）である。図７のフォーマットに対し図２のフォーマットは、コピー管理のきめの細かさは若干おちるが製造コストを低くできる。また、シーケンス番号によって図２のフォーマットと図７のフォーマットは判別可能なので、固体識別が可能なディスクと固体識別が不能なディスクが共存することが可能である。即ち、固体識別が可能なディスクと固体識別が不能なディスクの双方に適したマネージドコピー処理を行う装置を構成することが可能となる。図２の例ではシーケンス番号を０１としたが、図７のフォーマットで与えられるコードと異なれば他のコードをシーケンス番号とすることも可能である。
【００１３】
図３３において縦方向のＢｙｔｅは何Ｂｙｔｅ目のデータであるかを示し、横方向のＢｉｔは何Ｂｉｔ目のデータであるかを示す。図３３においてＢＣＡのＢｙｔｅ０は、コンテンツコードでありそのうちのＢｉｔ７からＢｉｔ２は識別子（アプリケーションＩＤ）であり、この場合は０００００１がセットされるとする。Ｂｙｔｅ０のＢｉｔ１，０はシーケンス番号であり、ＢＣＡが複数のデータブロックからなる場合は何個目のシーケンスであるかを示す。シーケンス番号については後述するＢＣＡの説明においても示す。Ｂｙｔｅ１のＢｉｔ７は、０の場合Ｂｙｔｅ３からＢｙｔｅ１５がディスク１枚ごとに付加されるユニークな番号（つまり固体識別が可能な番号）であり、１の場合管理されるディスクのグループごと（例えば一般消費者用のディスク、営業用のディスク）に付加される番号（つまり固体識別不能な番号）であることを示す。Ｂｙｔｅ１のＢｉｔ７を除いたＢｙｔｅ１，Ｂｙｔｅ２は、製造者の識別コードである。Ｂｙｔｅ３からＢｙｔｅ１５は、Ｂｙｔｅ１のＢｉｔ７の説明どおりである。図３３のフォーマットでは、きめ細かくコピーの管理を行うのに十分な固体情報が得られるが製造コストが高めとなるものと、コピー管理のきめの細かさは若干おちるが製造コストを低くできるものの両者を共存させることが可能である。また、Ｂｙｔｅ１のＢｉｔ７に割り当てた、Ｂｙｔｅ３から１５の内容の切り替えＢｉｔであるが、図７のフォーマットのＢｙｔｅ１，Ｂｙｔｅ２の製造者の識別コードのうち、割り当て済みのコードでは使用されていないＢｉｔに選ぶことで図３３のフォーマットと図７のフォーマットを共存させることが可能である。また、Ｂｙｔｅ３から１５の内容の切り替えＢｉｔとして特定のＢｉｔを割り当てなくても、製造者の識別コードをＢｙｔｅ３から１５の内容によって２種類割り当てることにより同様のことが実現できる。
【００１４】
[光ディスクレコーダ及びコピー管理装置]
本願の一実施例である家庭用光ディスクレコーダーとコピー管理装置について図３と図４と図５と図６を用いて説明する。図３は本願の一実施例である、家庭用光ディスクレコーダー及び、インターネットを介して接続される家庭用レコーダーのコピー管理装置のブロック図である。図４と図５は図３のコピー管理装置の動作を示すフローチャートである。図６は図３の家庭用光ディスクレコーダーの動作を示すフローチャートである。
【００１５】
まず、図３のブロック図を用いて、家庭用光ディスクレコーダーとコピー管理装置の構成を説明する。１０１は家庭用光ディスクレコーダーであり、１０２はコピー管理装置であり、１０８はディスプレイ装置である。家庭用光ディスクレコーダー１０１は、チューナー１１２と、光ディスク記録再生部１０３と、ＨＤＤ（Ｈａｒｄ  Ｄｉｓｃ  Ｄｒｉｖｅ）部１０４と、バックエンド部１０６と、ＬＡＮ Ａｄａｐｔｅｒ１０７と、ＣＰＵ１０８と、操作キー１１４と、コピーコントローラ１１３からなる。コピー管理装置１０２は、ＢＣＡ  Ｔｙｐｅ判定部１０９と、コピー許可判定部１１０と、ＬＡＮ Ａｄａｐｔｅｒ１１１からなる。家庭用光ディスクレコーダー１０１とコピー管理装置１０２はインターネット回線１３０を介して接続されている。
【００１６】
光ディスク記録再生部１０３は、光ディスクからのＡＶデータの再生と、記録可能ディスクへのＡＶデータの記録処理を行う。ＨＤＤ部１０４は、同様にＡＶデータの記録再生を行う。
【００１７】
バックエンド部１０６は、ＡＶストリームの生成／再生や、ＡＶ信号の圧縮伸長などを行うものであり、記録時には、外部入力端子１２２（ビデオ）、１２３（オーディオ）、もしくはチューナー１１２からの信号を入力とし、外部入力端子１２２、１２３からの入力に対しては、圧縮処理、ストリームのマルチプレックス処理などを行い、チューナー１１２からの入力に対しては記録用ストリームへのフォーマット変換などを行い、記録用のストリームを光ディスク記録再生部１０３に供給するか、ＨＤＤ部１０４に供給するか、端子１２７を介してメモリカード１０５に供給する。バックエンド部１０６は、再生時には、光ディスク記録再生部１０３からの再生信号、もしくは、ＨＤＤ部１０４からの再生信号、もしくは、メモリカード１０５の再生信号を選択して入力し、入力された信号のデマルチプレックスを行った後、オーディオ、ビデオの信号の伸長処理を行い、オーディオ信号出力端子１２４とビデオ信号出力端子１２５を介してディスプレイ１０８に出力する。オーディオ信号出力端子とビデオ信号出力端子はＨＤＭＩ端子１２１のように統合されたデジタル出力端子で両方の出力を行うような場合も考えられる。
【００１８】
ディスプレイ１０８はバックエンド部１０６からの映像信号がビデオ信号出力端子１２５から入力され、これを表示、また音声信号がオーディオ信号出力端子１２４から入力され、これを出力するスピーカを備える。上述のように、ＨＤＭＩ端子１２１を介してＡＶディジタル信号が入力される場合もある。
【００１９】
家庭用光ディスクレコーダー１０１の記録動作について説明する。外部入力端子１２２（ビデオ）、１２３（オーディオ）からの入力を記録する場合は、バックエンド部１０６で圧縮処理、ストリームのマルチプレックス処理などを行い、記録用のストリームを生成し、チューナー１１２からのディジタルＡＶストリームにから、記録用のストリーム生成し、光ディスク記録再生部１０３に供給するか、ＨＤＤ部１０４に供給するか、端子１２７を介してメモリカード１０５に供給し、何れかで記録を行う。記録媒体１０３，１０４，１０５の選択や入力１１２、１２２−１２３の選択は操作キーを介してユーザーから入力され、入力に従ってＣＰＵ１０８が各構成要素を制御する。
【００２０】
家庭用光ディスクレコーダー１０１の記録動作について説明する。光ディスク記録再生部１０３、もしくはＨＤＤ部１０４、もしくは端子１２８を介してのメモリカード１０５からの再生ストリームは、バックエンド部１０６でデマルチプレックスを行った後、オーディオ、ビデオの信号の伸長処理を行い、オーディオ信号出力端子１２４とビデオ信号出力端子１２５を介してディスプレイ１０８に出力する。記録媒体１０３，１０４，１０５の選択は操作キーを介してユーザーから入力され、入力に従ってＣＰＵ１０８が各構成要素を制御する。
【００２１】
家庭用光ディスクレコーダー１０１でスタンドアロンで、ＨＤＤ部１０４に記録されたＡＶデータを光ディスク記録再生部１０３で記録可能ディスクにコピーもしくはムーブを行うときの動作について説明する。ＨＤＤ部１０４から再生されたＡＶデータはバックエンド１０６に送られ、ここで、光ディスク記録用のストリームにフォーマット変換されたうえで、光ディスク記録再生部１０３に送られ、記録可能ディスクに記録される。
【００２２】
家庭用光ディスクレコーダー１０１でスタンドアロンで、ＨＤＤ部１０４に記録されたＡＶデータをメモリカード１０５にコピーもしくはムーブするときも同様である。
【００２３】
ＡＡＣＳなどの著作権管理技術に従って再生専用光ディスクから記録可能光ディスクにマネージドコピーを行う場合についての家庭用光ディスクレコーダーの各要素の動作を以下説明する。光ディスク記録再生部１０３はコピー元となる、再生専用ディスクの再生と、コピー先となる記録可能ディスクへの記録処理を行う。ＨＤＤ部１０４は、光ディスク記録再生部１０３からの再生専用ディスクの再生データを一時記録し、ディスク記録再生部１０３が記録可能ディスクに記録を行うときに、一時記録データを再生する。バックエンド部１０６は、光ディスク記録再生部１０３でコピーのＡＶデータ転送に先立ち、再生専用ディスクのＢＣＡ部を再生するときは、ＢＣＡ情報及びＢＣＡ  Ｔｙｐｅ情報が光ディスク記録再生部１０３からバックエンド部１０６に供給され、ＣＰＵ１０８を介して、ＬＡＮ  Ａｄａｐｔｅｒ１０７に送る。バックエンド部１０６は、ＨＤＤ部１０４で、光ディスク記録再生部１０３からの再生専用ディスクの再生データを一時記録する時は、マネージドコピーコントローラー１１３のコピー許可信号に従って、光ディスク記録再生部１０３からの再生信号を入力し、ＨＤＤ部１０４に記録信号を供給する。バックエンド部１０６は、ＨＤＤ部１０４の一時記録データをディスク記録再生部１０３で記録可能ディスクに記録する場合は、マネージドコピーコントローラー１１３のコピー許可信号に従って、ＨＤＤ部１０４からの再生信号を入力し、ディスク記録再生部１０３に記録信号を供給する。ＨＤＤ部１０４は、一時記録データのディスク記録再生部１０３での記録可能ディスクに記録の終了後、削除される。ＬＡＮ  Ａｄａｐｔｅｒ１０７は、バックエンド部１０６からＣＰＵ１０８を経由して、入力されたＢＣＡ情報、ＢＣＡ  Ｔｙｐｅ情報、及び、操作キー１１４からＣＰＵ１０８を介してマネージドコピーコントローラ１１３にユーザーに入力されたコピー要求信号が、インターネットなどの通信回線１３０を介して、コピー管理装置１０２に送信するとともに、コピー管理装置１０２からのコピー許可情報を、通信回線１３０を介して受信し、マネージドコピーコントローラ１１３に対してコピー許可情報を送る。また、ＬＡＮ  Ａｄａｐｔｅｒ１０７はコピー管理装置１０２からのコピー許可信号等のコピーに関する情報をＣＰＵ１０８に送る。ＣＰＵ１０８ではコピーに関する情報から表示情報が作成され、表示情報はバックエンド部１０６に送られ、ディスプレイ１０８でユーザーに表示される。コピーコントローラ１１３は、光ディスク記録再生部１０３での再生専用ディスクから記録可能ディスクへのコピーを、コピー管理装置１０２とやり取りを行いながら制御するものであり、ユーザーによるコピー要求入力や、コピー料金支払い情報入力が操作キー１１４から入力され、また、コピー装置の識別情報をＬＡＮ  Ａｄａｐｔｅｒ１０７を介して、コピー管理装置１０２に送るとともに、バックエンド部１０６を制御してＢＣＡ情報、ＢＣＡ  Ｔｙｐｅ情報のＬＡＮ  Ａｄａｐｔｅｒ１０７を介してのコピー管理装置１０２への送信をおこなわせ、またコピー管理装置１０２からＬＡＮ  Ａｄａｐｔｅｒ１０７を介して入力されるコピー許可信号に従って、光ディスク記録再生部１０３からの再生専用ディスクの再生データの一時記録の可否の制御、ＨＤＤ部の一時記録データをディスク記録再生部１０３で記録可能ディスクに記録することの可否の制御を行う。
【００２４】
ＡＡＣＳなどの著作権管理技術に従って再生専用光ディスクからメモリカードなど多種の媒体にマネージドコピーを行う場合についての家庭用光ディスクレコーダーの各要素の動作を以下説明する。光ディスク記録再生部１０３はコピー元となる再生専用ディスクの再生を行う。メモリカード１０５は、光ディスク記録再生部１０３からの再生専用ディスクの再生データを記録する。バックエンド部１０６は、光ディスク記録再生部１０３でコピーのＡＶデータ転送に先立ち、再生専用ディスクのＢＣＡ部を再生するときは、ＢＣＡ情報及びＢＣＡ  Ｔｙｐｅ情報が光ディスク記録再生部１０３から供給され、ＣＰＵ１０８を介して、ＬＡＮ  Ａｄａｐｔｅｒ１０７に送る。バックエンド部１０６は、メモリカード１０５で、光ディスク記録再生部１０３からの再生専用ディスクの再生データを記録する際には、マネージドコピーコントローラー１１３のコピー許可信号に従って、光ディスク記録再生部１０３からの再生信号を入力し、メモリカード１０５に記録信号を供給する。ＬＡＮ  Ａｄａｐｔｅｒ１０７は、バックエンド部１０６からＣＰＵ１０８を経由して、入力されたＢＣＡ情報、ＢＣＡ  Ｔｙｐｅ情報、及び、操作キー１１４からＣＰＵ１０８を介して、マネージドコピーコントローラ１１３にユーザーに入力されたコピー要求信号が、インターネットなどの通信回線１３０を介して、コピー管理装置１０２に送信するとともに、コピー管理装置１０２からのコピー許可情報を、通信回線１３０を介して受信し、マネージドコピーコントローラ１１３に対してコピー許可情報を送る。また、ＬＡＮ  Ａｄａｐｔｅｒ１０７はコピー管理装置１０２からのコピー許可信号等のコピーに関する情報をＣＰＵ１０８に送る。ＣＰＵ１０８ではコピーに関する情報から表示情報が作成され、表示情報はバックエンド部１０６に送られ、ディスプレイ１０８でユーザーに表示される。コピーコントローラ１１３は、光ディスク記録再生部１０３での再生専用ディスクから記録可能ディスクへのコピーを、コピー管理装置１０２とやり取りを行いながら制御するものであり、ユーザーによるコピー要求入力や、コピー料金支払い情報入力が操作キー１１４から入力され、また、コピー装置の識別情報をＬＡＮ  Ａｄａｐｔｅｒ１０７を介して、コピー管理装置１０２に送るとともに、バックエンド部１０６を制御してＢＣＡ情報、ＢＣＡ  Ｔｙｐｅ情報のＬＡＮ  Ａｄａｐｔｅｒ１０７を介してのコピー管理装置１０２への送信をおこなわせ、またコピー管理装置１０２からＬＡＮ  Ａｄａｐｔｅｒ１０７を介して入力されるコピー許可信号に従って、光ディスク記録再生部１０３からメモリカード１０５に記録することの可否の制御を行う。
【００２５】
ＡＡＣＳなどの著作権管理技術に従って再生専用光ディスクから記録可能光ディスクにマネージドコピーを行う場合についてのコピー管理装置の各要素の動作を以下説明する。ＬＡＮ  Ａｄａｐｔｅｒ１１１は、インターネットなどの通信回線１３０を介して入力されるＢＣＡ情報とコピー要求信号と、コピー料金支払い情報とコピー装置の識別番号をコピー許可判定部１１０に出力し、インターネットなどの通信回線１３０を介して入力されるＢＣＡ  Ｔｙｐｅ情報はＢＣＡ  Ｔｙｐｅ判定部１１０に出力し、コピー許可判定部１１０から入力されたコピー許可情報を通信回線１２８を介してコピー装置１０１に伝送する。ＢＣＡ  Ｔｙｐｅ判定部１０９は入力されたＢＣＡ  Ｔｙｐｅ情報から、再生されたディスクのＢＣＡがディスク１個１個を識別する固体識別が可能なものか、固体識別が不能なものかを判定する。判定結果は、コピー許可判定部１１０に送られる。コピー許可判定部１１０は、ＢＣＡによる固体識別の可否、ＢＣＡ情報、コピー料金支払い情報、コピー要求、著作権者に提供されたコピー管理装置内に蓄積されたコピー許可の条件のデータベース（どのタイトル（もしくはどのマスターの）のディスクに対して許可するか、ディスク許可の条件など。）からコピー許可の判定を行い、コピー許可情報をＬＡＮ  Ａｄａｐｔｅｒ１１１に出力する。
【００２６】
次に図４のフローチャートを用いて、光ディスク管理装置１０２の動作を説明する。処理を開始すると（２０１）、まず、家庭用光ディスクレコーダー１０１からのコピー要求１を受信する（２０２）。これは、ユーザーからコピーの要求があったことを示す。コピー要求１の信号はコピー許可判定部１１０に送られる。コピー要求１を受信すると、コピー許可判定部１１０から、通信処理部１１１、インターネットなどの通信回線１３０を介して、ＢＣＡ Ｔｙｐｅ情報とＢＣＡ情報を家庭用光ディスクレコーダー１０１に要求する（２０３）。要求（２０３）に応じて、家庭用光ディスクレコーダーから送信される、ＢＣＡ Ｔｙｐｅ情報とＢＣＡ情報を受信する（２０４）。ＢＣＡ Ｔｙｐｅ情報は、ＢＣＡ  Ｔｙｐｅ判定部１１１に、ＢＣＡ情報はコピー許可判定部１１０に送られる。ＢＣＡ  Ｔｙｐｅ判定部１０９では、受信したＢＣＡがディスク１枚ごとに識別、即ち固体識別の可否を判定する（２０５）。固体識別が可能な場合は、無料コピーが可能かコピー許可判定部１１０でＢＣＡ情報を元に判定する（２０６）。１枚のディスクに対し無料コピーを有限回ｎ（ｎ：自然数）可能とすることとすると、コピー許可判定部１１０で過去に行った無料コピーの回数がｎ以下であれば、無料コピーが可能である旨、無料コピーのオファーの情報を家庭用光ディスクレコーダー１０１に送り、オファーが受け入れられると、以降は処理２１３に続く、ｎより回数が多ければ無料コピーを許可しない。無料コピーが不許可の場合、有料コピーの可否をコピー許可判定部１１０でＢＣＡ情報を元に判定する（２２１）。有料コピー否と判断されればその後の処理は２１７以降に続き、有料コピー可と判断されれば、有料コピーが可能である旨、有料コピーのオファーの情報を家庭用光ディスクレコーダー１０１に送り、オファーが受け入れられると、当該ディスクのコピー料金が既に支払い済みで有るか、例えば５回分のコピー料金が一括して支払い済であるがコピーが実際に行われたのは３回であるような場合であるか、つまり当該ディスクに対する残金があるかをＢＣＡ情報と関連付けて判定する（２０７）。残金があれば、処理２１３に続く。残金が無ければ、支払いの要求を行う（２０８）。次に、支払いの要求２０８に応じて支払いが行われたことを示す、支払い情報が受信されたかとＢＣＡ情報からコピーの可否を判定する（２０９）。支払い情報が受信されていれば、支払い情報をコピー許可判定部１１０に蓄積し（２１０）、処理２１３に続く。支払い情報が受信されなければ、処理２１７に続く。ＢＣＡ  Ｔｙｐｅ判定処理２０５で固体識別が不能と判断された場合は、１枚のディスクに対し無料コピーを何回行ったかを把握することはできないため、無料コピーの判定２０６は飛ばして、２２１の有料コピーの可否の判断を行う。２２２、２０７以降、処理２１３もしくは処理２１７へと続く部分の処理は固体識別が可能である場合と同じである。処理２１３からの説明を継続する。処理２１３では、２２０に続いて処理する場合は、無料コピーが許可されたことを示すメッセージを、２０７-Yesに続いて処理する場合は、支払い済みの料金によりコピーが許可されたことを示すメッセージを、２１０に続いて処��する場合は、現在支払い手続きを行った料金によりコピーが許可されたことを示すメッセージをそれぞれ家庭用光ディスクレコーダー１０１に送る。２１４は送付したメッセージに対応して、コピー要求信号２を受信する。これは、許可のメッセージに対してユーザーが実行を指示するかの最終確認を行うものである。コピー要求信号２の確認（２１４）の後、コピー許可信号をコピー許可判定部１１０から通信処理部１１１、通信回線１３０を介して、家庭用光ディスクレコーダー１０１に送る（２１５）。コピー許可信号の送信（２１５）後、コピー終了結果即ち、無料コピーを実施したか、支払い済みの料金によりコピーを行ったか、新たに支払い手続きを行った料金によりコピーを行ったかの履歴を蓄積する（２１６）。履歴の蓄積後処理を終了する（２１９）。
一方の処理２１７からの処理の説明を継続する。処理２１７はコピーを許可しないことを示すメッセージを家庭用光ディスクレコーダー１０１に送る。その後、コピー不許可信号をコピー許可判定部１１０から通信処理部１１１、通信回線１３０を介して、家庭用光ディスクレコーダー１０１に送る（２１８）。２１８の後、処理を終了する。
【００２７】
本コピー管理装置では、固体識別が可能なディスクと固体識別が不能なディスクを判別しており、固体識別が可能なディスクでは、無料コピーを含めたコピー制御を行い、固体識別が不能なディスクでは、無料コピーを含まないコピー制御を行うので、固体識別が可能なディスクと固体識別が不能なディスクが混在していても、それぞれ適したコピーの管理を行うことが可能である。
【００２８】
また、本実施例では、固体識別が可能なディスクではｎ回の無料コピーを許可し、固体識別が不能なディスクでは無料コピーを許可しないようにしたが、固体識別が不能な場合は、ｍ≦ｎであるｍ回の無料コピーを許可することが別の方法として考えられる。この場合、固体識別が可能な場合は、あるディスク単体について、ｎ回無料コピーを許可し、それを実施する家庭用光ディスクレコーダーは１台に限定せずに何台を用いても可能である処理をとり、固体識別が不能な場合は、特定された家庭用光ディスクレコーダーあたりｍ回のコピーを許可する処理をとる（最大で、コピーが可能なレコーダーの台数＊ｍのコピーが許可されることになる）。このような方法によっても、固体識別が可能なディスクと固体識別が不能なディスクが混在していても、それぞれ適したコピーの管理を行うことが可能である。
【００２９】
次に、図５のフローチャートを用いて、光ディスク管理装置１０２の別の動作の例について説明する。図５のフローチャートの各処理の内容は３１３のコピー許可メッセージの送信以外は図４のフローチャートの各処理と同様である。
図５の各処理の組み合わせ順序の図４との違いと３１３の処理内容について説明する。まず、各処理の組み合わせ順序の違いについては、固体識別ありの場合については、処理２０６、処理２２１を逐次的ではなく並行して行っている。次に処理３１３について説明する。処理２０６、処理２２１を並行処理するようにしたのに伴い、コピー許可のメッセージは、処理２０６、処理２０７、処理２０９の各処理でＹｅｓとなったもの、それぞれに対する許可メッセージを送信する。
【００３０】
従って、現在支払い手続きを行った料金によりコピーの許可判断を支払い済みの料金によるコピー判断や、無料コピーの判断によらず行うことができるし、支払い済みの料金によるコピー判断を無料コピーの判断によらず行うことができる。従って、よりユーザーにとって使いやすい管理処理となる。
【００３１】
次に、図６のフローチャートを用いて本発明の実施例である、光ディスクのコピー機能を有する家庭用レコーダーの動作を説明する。処理を開始すると（４０１）、まず、ユーザーからコピーの要求があるかを判定する（４０２）、要求が入るとディスクが傷などの要因で再生できないことは無いかのチェックと、レンタル用などコピーがそもそも許されないディスクではないかのチェックを行う（４０３）。チェックの結果コピー不能であれば、処理を終了する（４１２）。チェックの結果コピー不能とならなければ、コピー要求信号１をコピー管理装置１０２に送信（４０４）して、ユーザーがコピーの意思があることを示す。次に、ＢＣＡ  Ｔｙｐｅ情報とＢＣＡ情報をコピー管理装置１０２に送信する（４０５）。このとき、光ディスクのコピー機能を有する家庭用レコーダーの識別コードもコピー管理装置１０２に送る。次にコピー管理装置１０２からコピーのオファーを受信し（４２３）、無料コピーのオファーが来た場合は（４２１）はユーザーがオファーを受ける場合は、ユーザーからの入力に従って、無料コピーの要求を返信し（４２２）し、処理（４２０）に移る。無料コピーのオファーが来ず有料コピーのオファーを受信した場合は（４０６）、有料コピーの要求をユーザーの入力に従って発行し（４２４）、さらに支払いの要求があった場合には、ユーザーからの入力に従って、支払い情報をコピー管理装置１０２に送信する（４０７）。これは有料コピーの要求も兼ねる。これに対しコピー許可/不許可情報を受信し（４２０）、ディスプレイ１０８に表示する、コピー許可情報から許可／不許可の判断を行い（４０８）、コピー不許可であれば、処理を終了する（４１２）。コピー許可であれば、ユーザーによって入力される最終判断に従ってコピー要求２をコピー管理装置１０２に送信する（４０９）。コピー要求２を送信（４０９）すると、コピー管理装置１０２からのコピー許可信号の受信を待って（４１０）、再生専用媒体から記録用媒体へのコピーを行う（４１１）。コピー処理（４１１）の終了後、処理全体を終了する（４１２）。
【００３２】
以上、本実施例によれば、固体識別が可能なディスクと固体識別が不能なディスクが混じっても、両者を区別するための情報を管理装置に送信するので、問題なく、再生専用ディスクから記録用ディスクへのコピーを行うことができる。
【００３３】
[ディスクの形状]
本発明に用いる再生専用ディスクの形状について説明する。図８に１層ＲＯＭ（再生専用）ディスクを示す。また、図９は２層ＲＯＭ（再生専用）ディスクを示す。図８に示される１層ＲＯＭディスクにはレーベルが書かれる側のレーベル面と、再生するための光ビームが入射する側の記録面が存在する。記録面側から記録面を保護するカバー層、信号が記録されている記録層、そしてその下の基盤層からなる。図９に示される２層ＲＯＭディスクにもレーベルが書かれる側のレーベル面と、再生するための光ビームが入射する側の記録面が存在する。記録面側から記録面を保護するカバー層、信号が記録されている記録層（Ｌ１）、もう一つの記録層との間を隔てるスペース層、もう一つの信号が記録されている記録層（Ｌ０）そしてその下の基盤層からなる。
【００３４】
次に１層ＲＯＭディスク及び２層ＲＯＭディスクの記録層の構造を図１０に示す。図１０はディスク断面を左側を内周、右側を外周とし模式的にあらわしたものである。図１０（ａ）Ｌ０ディスク構造は、１層ＲＯＭディスク及び２層ＲＯＭディスクの記録層Ｌ０のディスク構造を示す。図１０（ｂ）Ｌ１ディスク構造は、２層ＲＯＭディスクの記録層Ｌ１のディスク構造を示す。
【００３５】
図１０（ａ）Ｌ０ディスク構造において、１００１はＢＣＡ（Ｂｕｒｓｔ  Ｃｕｔｔｉｎｇ  Ａｒｅａ）であり、ディスク固有の情報等が記録されている。１００２はＩｎｎｅｒ  Ｚｏｎｅ０であり、ディスクに関する属性の情報や制御情報等が記録されている。Ｌｅａｄ-ｉｎとも称する。１００３はＤａｔａ  Ｚｏｎｅ０であり、ＡＶデータなどのユーザーデータが記録されている。１００４はＯｕｔｅｒ  Ｚｏｎｅ０であり制御情報などが記録されている。Ｉｎｎｅｒ  Ｚｏｎｅ０（１００２）は、Ｐｒｏｔｅｃｔｉｏｎ  Ｚｏｎｅ１（１００５）、ＰＩＣ（１００６）、Ｐｒｏｔｅｃｔｉｏｎ  Ｚｏｎｅ２（１００７）、ＩＮＦＯ０２（１００８）、ｒｅｓｅｖｅｄ（１００９）、ＩＮＦＯ０１（１０１０）からなる。Ｐｒｏｔｅｃｔｉｏｎ  Ｚｏｎｅ１（１００５）はＢＣＡ（１００１）とＰＩＣ（１００６）を隔てるための領域である。ＰＩＣ(１００６)はディスクのタイプに関する情報や、ディスクのサイズに関する情報や、ディスクのバージョンに関する情報や、ディスクの構造に関する情報や、チャネルビット長に関する情報や、ＢＣＡの有無に関する情報や、適用の最大伝送速度に関する情報などが記録されている。Ｐｒｏｔｅｃｔｉｏｎ  Ｚｏｎｅ２（１００７）は、ＰＩＣ（１００６）とＩＮＦＯ０２（１００８）を隔てるための領域である。ＩＮＦＯ０２（１００８）には制御情報が記録されている。ｒｅｓｅｖｅｄ（１００９）は予備の領域である。ＩＮＦＯ０１（１０１０）には制御情報が記録されている。Ｏｕｔｅｒ  Ｚｏｎｅ０（１００４）は、ＩＮＦＯ３／４（１０１１）とＰｒｏｔｅｃｔｉｏｎ  Ｚｏｎｅ３（１０１２）からなる。ＩＮＦＯ３／４（１０１１）には制御情報が記録されている。Ｐｒｏｔｅｃｔｉｏｎ  Ｚｏｎｅ３（１０１２）はＩＮＦＯ３／４（１０１１）を更に外周部分と隔てる。図１０（ａ）Ｌ０ディスク構造の内周から外周に向かっての矢印は、１層ＲＯＭディスク及び２層ＲＯＭディスクの記録層Ｌ０は内周から外周に向かってＲｅａｄするように記録されていることを示す。
【００３６】
図１０（ｂ）Ｌ１ディスク構造において、１０１４はＩｎｎｅｒ  Ｚｏｎｅ１であり、ディスクに関する属性の情報や制御情報等が記録されている。Ｌｅａｄ-ｏｕｔとも称する。１０１５はＤａｔａ  Ｚｏｎｅ０であり、ＡＶデータなどのユーザーデータが記録されている。１０１６はＯｕｔｅｒ  Ｚｏｎｅ１であり制御情報などが記録されている。Ｉｎｎｅｒ  Ｚｏｎｅ１（１０１４）は、Ｐｒｏｔｅｃｔｉｏｎ  Ｚｏｎｅ１（１０１７）、ＰＩＣ（１０１８）、Ｐｒｏｔｅｃｔｉｏｎ  Ｚｏｎｅ２（１０１９）、ＩＮＦＯ０２（１０２０）、ｒｅｓｅｖｅｄ（１０２１）、ＩＮＦＯ０１（１０２２）からなる。Ｐｒｏｔｅｃｔｉｏｎ  Ｚｏｎｅ１（１０１７）はより内周側とＰＩＣ（１０１８）を隔てるための領域である。ＰＩＣ(１０１８)はディスクのタイプに関する情報や、ディスクのサイズに関する情報や、ディスクのバージョンに関する情報や、ディスクの構造に関する情報や、チャネルビット長に関する情報や、ＢＣＡの有無に関する情報や、適用の最大伝送速度に関する情報などが記録されている。Ｐｒｏｔｅｃｔｉｏｎ  Ｚｏｎｅ２（１０１９）は、ＰＩＣ（１０１８）とＩＮＦＯ０２（１０２０）を隔てるための領域である。ＩＮＦＯ０２（１０２０）には制御情報が記録されている。ｒｅｓｅｖｅｄ（１０２１）は予備の領域である。ＩＮＦＯ０１（１０２２）には制御情報が記録されている。Ｏｕｔｅｒ  Ｚｏｎｅ１（１０１６）は、ＩＮＦＯ３／４（１０２３）とＰｒｏｔｅｃｔｉｏｎ  Ｚｏｎｅ３（１０２４）からなる。ＩＮＦＯ３／４（１０２３）には制御情報が記録されている。Ｐｒｏｔｅｃｔｉｏｎ  Ｚｏｎｅ３（１０２４）はＩＮＦＯ３／４（１０２３）を更に外周部分と隔てる。図１０（ｂ）Ｌ１ディスク構造の外周から内周に向かっての矢印は、２層ＲＯＭディスクの記録層Ｌ１は外周から内周に向かってＲｅａｄするように記録されていることを示す。
【００３７】
[データのエンコード処理]
ユーザーデータの記録処理について説明する。図１１に示すとおり、ユーザーデータを２０４８バイト単位に分割し、それぞれに４バイトの誤り検出コードを付加して２０５２バイトのデータフレームを構成する。次に、各データフレームに対し図１２に示すとおりスクランブル処理を行い、スクランブルドデータフレームを構成する。次に図１２に示すとおり、スクランブルドデータフレームを３２個集める。次に列順に再配置を行い、図１３に示すとおり２１６行３０４列のデータブロックを構成する。そして、図１４に示すとおり、データブロックの各列に対して(２４８，２１６，３２)のリードソロモン符号で符号化を行い、３２バイトのパリティを付加し新たに２４８行３０４列のＬＤＣ（Long Distant Code）ブロックを構成する。ＬＤＣブロックに対しては次の第１のインターリーブと、第２のインターリーブが処理される。第１のインターリーブは図１５ａに示されるように、偶数番目の列のデータとそれに続く奇数番目の列のデータを互い違いに挟み込むように再配置を行い４９６行１５２列のブロックを構成する。第２のインターリーブは図１５ｂ示すとおり、再配置された４９６行１５２列のブロックに対し、上から２行単位で、最初の２行はシフトせず、次の２行は左に３バイトシフト、次の２行は６バイトシフト、次の２行は左に９バイトシフトと３バイトずつシフト量を増加させる再配置を行う。第１のインターリーブ、第２のインターリーブを施したデータはＬＤＣクラスタを構成する。
【００３８】
一方、このデータブロックに付加されるアドレスは以下のように生成される。
図１６に示されるようにデータブロックは１６のアドレスユニットに分割され、それぞれに９バイトのアドレス情報が割り当てられる。９バイトの内訳は、４バイトのアドレスと、１バイトのフラグ情報と、５バイトのアドレスとフラグ情報に付加されたパリティとからなる。このアドレスはインターリーブ処理を行ったうえで、６行２４列のマトリックスを形成する。同時にユーザー制御データ１８バイト、３２ユニット分が２４行２４列のマトリックスに配置される。
上記の６行２４列のマトリックスと２４行２４列のマトリックスは結合され、図１７に示す３０行２４列のアクセスブロックを形成する。アクセスブロックの各列に対して（６２，３３，３２）のリードソロモン符号で符号化を行い、３２バイトのパリティを付加して図１８に示す、６２行２４列のＢＩＳ（Burst Indicating Subcode）ブロックを形成する。ＢＩＳブロックのデータに対し再配置を行い図１９に示す４９６行３列のＢＩＳクラスタを構成する。
【００３９】
前記のＬＤＣクラスタを３８列ずつに分割し、間にＢＩＳクラスタのデータを一列ずつ挿入し図２０に示すＥＣＣクラスタを構成する。
【００４０】
ＥＣＣクラスタの各行１５５バイトのデータに対しては、先頭に２０ビットのフレーム同期信号が付加し、１５５バイトのデータは先頭２５ビット、以降は４５ビットずつに分割し、間にＤＣコントロールビットを挿入し、図２１に示す記録フレームを構成する。ＤＣコントロールビットは変調後のＤＳＶが０に近くなるように制御される。
【００４１】
記録フレームのデータに対する変調は図２２に示されるテーブルに従って１７変調を行う。フレーム同期信号は図２３に示されるように３０bitsの同期コードを用いて付加される。図２３において、＃は同期コードの前の変調後のデータが0000もしくは00で終端された場合は１となり、他の場合は０となる。
[ＢＣＡ]
図１０で示されたＢＣＡの配置を、光ディスク２４０１の上から見た配置図で、図２４に示す。光ディスク２４０１の半径２１．３ｍｍから２２．０ｍｍまでの範囲には、同心円状にバーストカッティングエリア（ＢＣＡ）２４０２が形成される。また、２４０３はセンターホールである。このＢＣＡには、ディスクＩＤ等のディスク固有の情報もしくは、ディスクの準拠するフォーマット情報等が格納されている。こうした情報は１周が略４７５０チャネルビットであるのに対し、４６４８チャネルビットを占める。
【００４２】
バーストカッティングエリア２４０２に記録されるデータの変調方法を図２５に示す。本変調方式では、２ビットのデータが７ビットデータとして変調される。変調後の７ビットデータは、前半３ビットが同期部、後半４ビットがデータ部として構成される。同期部は“０１０”のみで構成される。データ部は４ビットのうちのいずれかのビットに“１”が設定され、それ以外のビットは“０”と設定される。図２５において、元データが“００”であれば、データ部が“１０００”と変調される。同様に元データ“０１”、“１０”、“１１”はそれぞれデータ部“０１００”、“００１０”、“０００１”と変調される。
【００４３】
同期部とデータ部がバーストカッティングエリア２４０２に記録されている状態を模式的に図２６に示す。この場合、“０１０１０００”のデータを示している。ビット“１”の場合は、低反射率部が形成される。ビット“０”の場合はこの低反射率部が形成されずに、ディスク反射率の変化がほぼゼロとなる。
【００４４】
バーストカッティングエリア２４０２に記録されるデータ構造を図２７に示す。図２７において、各行が５バイトで構成される。各行の先頭１バイトは同期バイトであり、後方４バイトがデータとされる。
【００４５】
第１行目はプリアンブルとされ、全て００ｈとされる。
【００４６】
第１の同期バイトは第１行目のみに用いるため、これを検出することにより、ＢＣＡコードの開始位置を検出することが可能である。もしくは、第１の同期バイト以降の００ｈデータと併せて検出することも可能である。第２行目から第３３行目までは、４行単位で領域が区分される。第２行目から第５行目までには、ユーザデータＩ０,０からＩ０,１５の１６バイトのデータが配置される。続いて、第６行目から第９行目までには、第２行目から第５行目までのユーザデータＩ０,０からＩ０,１５に対応する１６バイトのパリティＣ０,０からＣ０,１５が配置される。この第２行目から第５行目までのユーザデータと第６行目から第９行目までのパリティによって、１つのＥＣＣブロックが構成される。
【００４７】
同様に、第１０行目から第１３行目までにユーザデータＩ１,０からＩ１,１５が配置され、第１４行目から第１７行目に対応するパリティＣ１,０からＣ１,１５が配置される。第１８行目から第２１行目までにユーザデータＩ２,０からＩ２,１５が配置され、第２２行目から第２５行目に対応するパリティＣ２,０からＣ２,１５が配置される。第２６行目から第２９行目までにユーザデータＩ３,０からＩ３,１５が配置され、第３０行目から第３３行目に対応するパリティＣ３,０からＣ３,１５が配置される。
【００４８】
第２行目から第５行目の同期バイトはＳＢ００とされる。第６行目から第９行目までの同期バイトはＳＢ０１とされる。第１０行目から第１３行目までの同期バイトはＳＢ０２とされる。第１４行目から第１７行目までの同期バイトはＳＢ０３とされる。第１８行目から第２１行目までの同期バイトはＳＢ１０とされる。第２２行目から第２５行目までの同期バイトはＳＢ１１とされる。第２６行目から第２９行目までの同期バイトはＳＢ１２とされる。第３０行目から第３３行目までの同期バイトはＳＢ１３とされる。第３４行目にはデータは配置されず、同期バイトのＳＢ３２のみが配置される。図２７のデータは図２５の変調方式に従い、変調される前のデータを示している。そのデータ量は１６６バイトとなる。（＝５バイト×４行×８セット＋５バイト＋１バイト）この情報が変調された結果、４６４８チャネルビットとなる。（＝１６６×８×７／２）
図２７の同期信号の具体的なデータ列を図２８に示す。なお、図２８の例は変調後のチャネルビット列として表される。２８チャネルビットの同期バイトは１４チャネルビットのシンクボディと、１４チャネルビットのシンクＩＤとで構成される。１４チャネルビットのシンクボディは７チャネルビットのシンクボディ１と、７チャネルビットのシンクボディ２とで構成される。１４チャネルビットのシンクＩＤは、７チャネルビットのシンクＩＤ１と、７チャネルビットのシンクＩＤ２とで構成される。
【００４９】
なお、シンクボディは先に記した本来の変調則に従わないパターンとなっている。すなわち、図２５に記されるように本変調則に従えば、その同期部は“０１０”とされるはずである。しかし、シンクボディ２の同期部は“０１０”とは異なる“００１”とされている。従って、同期バイトをデータから識別することが可能である。
【００５０】
各同期バイトのシンクボディ１はいずれも“０１０  ０００１”とされ、シンクボディ２は“００１  ０１００”とされる。これに対し、シンクＩＤは、同期バイト毎に異なる値とされ、これにより同期バイトを識別することが可能となっている。このように、各同期バイトが異なるため、識別が可能となる。
【００５１】
ＢＣＡコードのＥＣＣブロックの構成を図２９に示す。ＥＣＣはＲＳ（２４８，２１６，３３）のリードソロモン符号が用いられる。これは、図１４のＥＣＣブロックと同様のリードソロモン符号である。ただし、ＢＣＡコードのＥＣＣブロックは図２９のように、先頭の２００バイトは固定データとされ、例えばＦＦｈが使用される。この固定データに続く１６バイトのデータが実質的なＢＣＡのユーザデータとされる。２００バイトの固定データと、１６バイトのＢＣＡデータとを用いて、３６バイトのパリティが計算する。
【００５２】
なお、本発明における２１６バイトのデータのうち、先頭２００バイトは固定データであり、光ディスクには記録されない。同様に、３２バイトのパリティのうち、先頭１６バイトのパリティＣ０からＣ１５のみが光ディスク１に記録され、残りの１６バイトのパリティは記録されない。復号時には、２００バイトの固定データは、同一の値がそのまま用いられる。また、記録されない１６バイトのパリティは消失フラグとして復号される。つまり、３２バイトのパリティのうち、後半の１６バイトは位置するパリティが、消失したものとして処理される。パリティの１／２が消失したとしても、その位置が既知であるため、元のパリティを復号することが可能である。
【００５３】
このように、ユーザデータエリアに記録されるユーザデータのＥＣＣと同じＲＳ（２４８，２１６，３３）を用いることで、ＢＣＡにおいても非常に強力なエラー訂正能力を実現可能となる。また、同一のハードウェアでの構成が可能となるので、回路規模を低減でき、コスト低減することができる。更に、３２バイトのみを記録すればよく、２４８バイト全てを記録する場合に比べ、データ容量を大きくすることができる。
【００５４】
次に、ＢＣＡのデータブロックの構成を図３０に示す。本発明において、４個のＥＣＣブロックがバーストカッティングエリア２４０２に記録される。各ＥＣＣブロックの１６バイトのデータは、先頭の１バイトのコンテンツコードと、続く１５バイトのコンテンツデータで構成される。ＢＣＡのコンテンツコードは、先頭のビット７からビット２までの６ビットがアプリケーションＩＤとされ、最後のビット１、ビット０の２ビットがシーケンス番号とされる。
【００５５】
光ディスク記録再生装置は、取り決められたアプリケーションＩＤを有する光ディスクに対してのみ、データの記録する、もしくは再生することが可能とされる。例えば、特定のアプリケーションＩＤを有するディスクに対して、コンテンツデータを保護するために必要な、コンテンツの暗号化／復号化の鍵情報等を記録することができる。
【００５６】
シーケンス番号は２ビットで構成され、“００”、“０１”、“１０”、“１１”のいずれかとされる。各ＥＣＣブロックのコンテンツデータが１４バイト以下である場合にはそれぞれのシーケンス番号は“００”とされる。
【００５７】
次にコンテンツデータの格納方法を示す。例えば、４つのＥＣＣブロックのうち、先頭の２個のＥＣＣブロックの各コンテンツデータとして、同一のコンテンツデータを格納した場合（この場合は、同一アプリケーションＩＤの同一コンテンツデータの２重書きである）、それぞれのＥＣＣブロックのシーケンス番号は“００”とされる。すなわち、同一のコンテンツデータを記録する場合には、２つのＥＣＣブロックのシーケンス番号は同一番号とされる。
【００５８】
続いて、残りの２個のＥＣＣブロックに、最初のＥＣＣブロックのアプリケーションＩＤとは異なるコンテンツデータを２４バイト格納する場合、１番目のシーケンス番号は“００”とされ、２番目のＥＣＣブロックのシーケンス番号は“０１”とされる。すなわち、複数のＥＣＣブロックにまたがる場合には、通し番号が格納される。
【００５９】
このように、各ＥＣＣブロックに、アプリケーションＩＤとシーケンス番号が記録されるので、それらから判断して、いずれのＥＣＣブロックに所望のデータが格納されているのか、また多重書きであるかという識別が可能である。
【００６０】
なお、図３０のデータブロックのＢＣＡコンテンツコード、及びコンテンツデータが、図２７の先頭ＥＣＣブロックのＩ０,０からＩ０,１５に対応する。
【００６１】
[ディスクの記録再生装置]
本発明に好適として形状、データのエンコード処理、ＢＣＡについて説明した再生専用ディスクの再生と、前記再生専用ディスクと概ね共通フォーマットを持つ記録可能ディスクの記録再生を行う記録再生装置の説明を図３１を用いて行う。また、図３１に示される記録再生装置は図３に示される家庭用光ディスクレコーダーの光ディスク記録再生部に対応する。図３１は記録再生装置のブロック図である。図３１において、３１００は図８，９，１０に示される再生専用ディスクもしくは、概ね共通の形状をとる記録可能ディスクである。３１０１はディスク３１００を回転させるディスクモータ、３１０２はディスク３１００にレーザー光を照射し、反射光を検出し再生信号を得る光ピックアップである。また３１０２は記録時には的確に整形された波形のレーザー光をディスク３１００に照射して記録を行う。３１０３はアナログフロントエンドであり、光ピックアップ３１０２で検出された信号の波形整形やサーボ信号の生成などを行う。３１０４は復調処理回路であり、波形整形された信号の２値化や、データのエンコード処理で説明した１−７変調に基づいた復調処理などを行う。３１０５はＤＲＡＭ（Ｄｙｎａｍｉｃ  Ｒａｎｄｕｍ  Ａｃｃｅｓｓ  Ｍｅｍｏｒｙ）であり、復調処理されたデータ、訂正処理中、入出力データ、変調処理前のデータなどの一時記憶に用いられる。３１０６はＥＣＣ（Ｅｒｒｏｒ  Ｃｏｒｒｅｃｔｉｏｎ  Ｃｉｒｃｕｉｔ）であり、再生処理時にはＤＲＡＭ３１０５に一時記憶された復調処理済のデータに対し、誤り訂正処理をおこない、記録処理時には、ＤＲＡＭ３１０５に一時記憶された入力データに対し、誤り訂正符号の付加を行う。３１０７はインターフェース回路であり、ＤＲＡＭ１０５に一時記憶されたデータを出力端子３１１４からの出力したり、入力端子３１１３からの入力データをＤＲＡＭ３１０５に記憶させたり、ＤＲＡＭ３１０５に記憶されたＢＣＡ関連情報の出力端子３１１５からの出力などインターフェース処理を行う。３１１３と３１１５共通化することもできる。また、双方向化することで３１１３，３１１４，３１１５を共通化することも可能である。３１０８は変調回路であり、記録時には、ＤＲＡＭ３１０５から読み出したデータに対して、データのエンコード処理で説明した１−７変調に基づいた変調処理を行い、変調データをＬＤＤ（Ｌａｓｅｒ  Ｄｉｏｄｅ  Ｄｒｉｖｅｒ）３１０９に供給する。ＬＤＤ３１０９は記録時には、変調データに対して、記録に適切な記録波形を光ピックアップ３１０２に供給し、ピックアップ３１０２は記録波形に従って発光して記録を行う。３１１０はＢＣＡデコーダーであり、ＢＣＡの再生時には、[ＢＣＡ]で説明されたように低反射率の有無によって記録された、ＢＣＡのデータブロックのデコード処理を行う。
【００６２】
[バックエンド部]
図３２を用いて、図３１の記録再生装置においてＡＶストリームを扱う光ディスクレコーダーにおけるバックエンド部の構成について説明する。図３２はバックエンド処理部のブロック図である。また、このバックエンド部は、図３のバックエンド部１０６に対応する。
【００６３】
光ディスク記録再生装置からの入力端子３２１０、もしくはＨＤＤからの入力端子３２１１、もしくはメモリカードからの入力端子３２１２から、入力ＩＦ３２０１を介してアプリケーションフォーマットのＡＶストリームが入力される。デパケッタイザ３２０２は、図３１の記録媒体３１００もしくは図３のＨＤＤ１０４から読み出された、アプリケーションフォーマットのＡＶストリームを、デマルチプレクサ３２０３が処理可能なストリームに変換する。デマルチプレクサ３２０３は、ＣＰＵ３２０９により指定されたＡＶストリームの再生区間(PlayItem)を構成するビデオストリーム、オーディオストリーム、およびＡＶ同期等のシステム情報を、ＡＶデコーダ３２０４に出力する。ＡＶデコーダ３２０４は、ビデオストリームとオーディオストリームを復号し、再生ビデオ信号と再生オーディオ信号を、それぞれ対応する端子３２１７と端子３２１８から出力する。
【００６４】
ディジタルチューナーからのＡＶストリームの入力は、端子３２１３から入力されデパケッタイザ３２０２を介してパケッタイザ３２０７に送られ、そのストリームを記録させる記録媒体のアプリケーションフォーマットに従って、ソースパケットから構成されるＡＶストリームに符号化する。ＨＤＤから光ディスクにコピーする場合も同様の処理が行われる。
【００６５】
ＡＶエンコーダ３２０５は、入力端子３２１９より入力されたビデオ信号と入力端子３２２０より入力されたオーディオ信号を、それぞれ符号化し、符号化ビデオストリーム、符号化オーディオストリーム、およびＡＶ同期等のシステム情報をマルチプレクサ３２０６に出力する。符号化ビデオストリームは、例えば、ＭＰＥＧ（Moving Picture Expert Group）２方式や、Ｈ．２６４方式により符号化されたビデオストリームであり、符号化オーディオストリームは、例えば、ＭＰＥＧ１方式により符号化されたオーディオストリームや、ドルビーＡＣ３方式（商標）により符号化されたオーディオストリーム等である。マルチプレクサ３２０６は、入力されたビデオおよびオーディオのストリームを、入力システム情報に基づいて多重化して、パケッタイザ３２０７に出力する。多重化ストリームは、例えば、ＭＰＥＧ２トランスポートストリームやＭＰＥＧ２プログラムストリームである。ソースパケッタイザ１９は、入力された多重化ストリームを、そのストリームを記録させる図３１の記録媒体３１００のアプリケーションフォーマットに従って、ソースパケットから構成されるＡＶストリームに符号化する。符号化されたＡＶストリームは出力ＩＦ３２０８を介して、光ディスク記録再生装置への出力端子３２２４もしくは、ＨＤＤへの出力端子３２２５より出力される。
【００６６】
ＢＣＡ情報及びＢＣＡ  Ｔｙｐｅ情報は、入力端子３２１０より入力され、入力ＩＦ３２０１を介してＣＰＵ３２０９に送られ、ＣＰＵ３２０９でＢＣＡ  Ｔｙｐｅ情報をＢＣＡ情報から分離し、  出力ＩＦ３２０８を介して、出力端子３２２６からＢＣＡ情報、ＢＣＡ  Ｔｙｐｅ情報が出力される。
【符号の説明】
【００６７】
１０１…家庭用光ディスクレコーダー、１０２…コピー管理装置、１０３…光ディスク記録再生部、１０６…バックエンド部、１０９…ＢＣＡ  Ｔｙｐｅ判定部、１１０…コピー許可判定部、１１３…コピーコントローラー
【図１】
2012069210.tif 000003
【図２】
2012069210.tif 000004
【図３】
2012069210.tif 000005
【図４】
2012069210.tif 000006
【図５】
2012069210.tif 000007
【図６】
2012069210.tif 000008
【図７】
2012069210.tif 000009
【図８】
2012069210.tif 000010
【図９】
2012069210.tif 000011
【図１０】
2012069210.tif 000012
【図１１】
2012069210.tif 000013
【図１２】
2012069210.tif 000014
【図１３】
2012069210.tif 000015
【図１４】
2012069210.tif 000016
【図１５ａ】
2012069210.tif 000017
【図１５ｂ】
2012069210.tif 000018
【図１６】
2012069210.tif 000019
【図１７】
2012069210.tif 000020
【図１８】
2012069210.tif 000021
【図１９】
2012069210.tif 000022
【図２０】
2012069210.tif 000023
【図２１】
2012069210.tif 000024
【図２２】
2012069210.tif 000025
【図２３】
2012069210.tif 000026
【図２４】
2012069210.tif 000027
【図２５】
2012069210.tif 000028
【図２６】
2012069210.tif 000029
【図２７】
2012069210.tif 000030
【図２８】
2012069210.tif 000031
【図２９】
2012069210.tif 000032
【図３０】
2012069210.tif 000033
【図３１】
2012069210.tif 000034
【図３２】
2012069210.tif 000035
【図３３】
2012069210.tif 000036